(57)【要約】 【課題】  予め設定した対象番号からの着信、あるいは許可番号以外の番号からの着信を検出して自動的にボイスチェンジャの使用／不使用を切り替え、効果的に迷惑電話に対処できるようにする。【解決手段】  本発明のボイスチェンジャ付電話機は、電話着信時に着信元電話機の情報を取得する手段と、予めボイスチェンジャを使用する条件が登録される記憶手段と、着信時に取得された着信元電話機の情報に基づきボイスチェンジャの使用／不使用を判定する判定手段と、使用者の発話音声を変換するボイスチェンジャ手段と、通話途中に前記ボイスチェンジャの使用／不使用を切り替える切替手段を備える。前記判定手段は、ボイスチェンジャ使用対象とする電話番号からの着信、及び／又は、前記電話機が備える電話帳情報に登録されていない電話番号からの着信、及び／又は、発信元電話番号が非通知である着信の場合に前記ボイスチェンジャを使用するよう判定する。【選択図】  図１
2006333057.tif 000002
【特許請求の範囲】
【請求項１】
使用者の発話音声を変換して通話相手に伝達するボイスチェンジャ付電話機であって、電話着信時に着信元電話機の情報を取得する手段と、予めボイスチェンジャを使用する条件が登録される記憶手段と、着信時に取得された着信元電話機の情報に基づきボイスチェンジャの使用／不使用を判定する判定手段と、使用者の発話音声を変換するボイスチェンジャ手段とを備えることを特徴とする電話機。
【請求項２】
請求項１に記載の電話機において、前記判定手段は、ボイスチェンジャ使用対象とする電話番号からの着信、及び／又は、前記電話機が備える電話帳情報に登録されていない電話番号からの着信、及び／又は、発信元電話番号が非通知である着信の場合に前記ボイスチェンジャを使用するよう判定することを特徴とする電話機。
【請求項３】
請求項１または２に記載の電話機がさらに、通話途中に前記ボイスチェンジャの使用／不使用を切り替える切替手段を備えることを特徴とする電話機。
【請求項４】
請求項１ないし３のいずれかに記載の電話機において、当該電話機の受話スピーカが前記ボイスチェンジャに接続されており、通話相手からの音声を前記ボイスチェンジャで変換して受話スピーカから出力しうることを特徴とする電話機。
【請求項５】
ボイスチェンジャ付電話機の制御方法において、前記電話機が着信時に着信元電話機の情報を取得するステップと、前記電話機が着信元電話機の情報に基づき予めボイスチェンジャを使用する条件が登録されたメモリを参照してボイスチェンジャの使用／不使用を判定するステップと、前記電話機がボイスチェンジャを使用すると判定した場合に当該電話機の使用者の発話音声を変換して通話相手に送信するステップと、を備えることを特徴とする方法。
【請求項６】
請求項５に記載の方法がさらに、前記電話機が通話中に使用者からの所定の入力を受けた場合に前記ボイスチェンジャの使用／不使用を切り替えるステップを備えることを特徴とする方法。
【請求項７】
ボイスチェンジャ付電話機に搭載される制御プログラムにおいて、前記電話機への着信時に着信元電話機の情報を取得するステップと、取得された着信元電話機の情報に基づき予めボイスチェンジャを使用する条件が登録されたメモリを参照してボイスチェンジャの使用／不使用を判定するステップと、ここでボイスチェンジャを使用すると判定された場合に当該電話機の使用者の発話音声を変換して通話相手に送信するステップと、を前記電話機に実行させることを特徴とするプログラム。
【請求項８】
請求項７に記載のプログラムがさらに、前記電話機の通話中に使用者からの所定の入力を受けた場合に、前記ボイスチェンジャの使用／不使用を切り替えるステップを前記電話機に実行させることを特徴とするプログラム。
【発明の詳細な説明】
【技術分野】
【０００１】
本発明は電話機およびその制御方法に関し、特に、必要に応じて話者の音声を変換して相手と通話できるようにするボイスチェンジ機能付き電話機および制御方法に関する。
【背景技術】
【０００２】
固定電話や携帯電話に勧誘等の迷惑電話がかかってくる場合がある。この場合に着信に出ると声色で相手に年齢性別が判断されてしまい、特に女性や若者は相手につけこまれ迷惑となることがある。このため携帯電話機などでは、予め設定した電話番号からの着信について所定の動作を行う機能が設けられている。例えば特許文献１には、予めメモリ登録した着信拒否対象番号からの着信があった場合に、着信音を出さないようにしたり、自動応答メッセージを流したり、自動オフフック直後に切断したりする機能が設けられている。
【０００３】
また、電話機の送話部からの音声をリアルタイムに変換して相手と通話できるようにした電話機が提案されている（例えば、特許文献２）。この電話機ではスイッチを切り替えると話者の音声の音程が切り替わり、女性でもあたかも男性の声のようにして相手側に伝え、野太い声で勧誘等を断りやすくしている。
【０００４】
【特許文献１】特開平１０−４２０３６号公報
【特許文献２】特開昭６３−６７９５０号公報
【発明の開示】
【発明が解決しようとする課題】
【０００５】
上記特許文献１のように、従来の携帯電話機にも特定の番号を着信拒否するといった迷惑電話防止機能があるが、着信音を鳴らさないようにしたり自動切断するといった方式では、相手が着信拒否となっていることを理解しない場合があり、何度もかけてきて解決にならないことがある。また、特許文献２ではスイッチを切り替えることにより音声を変えて通話可能となるが、最初に通常の声で電話に出てしまったら通話相手に年齢性別を判定されてしまい、その後にスイッチを入れたとしても役に立たないことになる。この場合に最初からスイッチを入れて電話に出ることが考えられるが、着信が迷惑電話でない知人からの電話等である場合に、電話をかけてきた知人が番号を間違えたと誤解しかねない不都合がある。
【０００６】
本発明は、予め設定した対象番号からの着信、あるいは許可番号以外の番号からの着信を検出して自動的にボイスチェンジャの使用／不使用を切り替え、効果的に迷惑電話に対処しうる電話機およびその制御方法を提供することを目的とする。
【課題を解決するための手段】
【０００７】
上記目的を達成するために、本発明にかかる電話機は、使用者の発話音声を変換して通話相手に伝達するボイスチェンジャ付電話機であって、電話着信時に着信元電話機の情報を取得する手段と、予めボイスチェンジャを使用する条件が登録される記憶手段と、着信時に取得された着信元電話機の情報に基づきボイスチェンジャの使用／不使用を判定する判定手段と、使用者の発話音声を変換するボイスチェンジャ手段とを備えることを最も主要な特徴とする。
【０００８】
前記判定手段は、ボイスチェンジャ使用対象とする電話番号からの着信、及び／又は、前記電話機が備える電話帳情報に登録されていない電話番号からの着信、及び／又は、発信元電話番号が非通知である着信の場合に前記ボイスチェンジャを使用するよう判定することが有効である。
【０００９】
この電話機がさらに、通話途中に前記ボイスチェンジャの使用／不使用を切り替える切替手段を備えることが有効である。
【００１０】
前記電話機の受話スピーカが前記ボイスチェンジャに接続されており、通話相手からの音声を前記ボイスチェンジャで変換して受話スピーカから出力しうるように構成してもよい。
【００１１】
本発明にかかるボイスチェンジャ付電話機の制御方法は、前記電話機が着信時に着信元電話機の情報を取得するステップと、前記電話機が着信元電話機の情報に基づき予めボイスチェンジャを使用する条件が登録されたメモリを参照してボイスチェンジャの使用／不使用を判定するステップと、前記電話機がボイスチェンジャを使用すると判定した場合に当該電話機の使用者の発話音声を変換して通話相手に送信するステップと、を備えることを特徴とする。
【００１２】
この方法は、前記電話機が通話中に使用者からの所定の入力を受けた場合に前記ボイスチェンジャの使用／不使用を切り替えるステップを備えることが有効である。
【００１３】
さらに本発明は、ボイスチェンジャ付電話機に搭載される制御プログラムであって、前記電話機への着信時に着信元電話機の情報を取得するステップと、取得された着信元電話機の情報に基づき予めボイスチェンジャを使用する条件が登録されたメモリを参照してボイスチェンジャの使用／不使用を判定するステップと、ここでボイスチェンジャを使用すると判定された場合に当該電話機の使用者の発話音声を変換して通話相手に送信するステップと、を前記電話機に実行させることを特徴とするプログラムに関する。
【００１４】
このプログラムにおいても、前記電話機の通話中に使用者からの所定の入力を受けた場合に、前記ボイスチェンジャの使用／不使用を切り替えるステップを前記電話機に実行させることが有効である。
【発明の効果】
【００１５】
本発明によれば、ボイスチェンジャを使用し変換した音声を通話相手に送ることにより、ユーザの年齢性別等の情報を隠すことができる。例えば女性ユーザの声を低い音程に変換して伝えることにより、通話相手に男性であると勘違いさせて勧誘等の迷惑電話を拒絶しやすくなる。また、着信電話番号あるいはそのカテゴリなどの条件により着信時に制御部が自動判定してボイスチェンジャの使用／不使用を切り替えるため、通話開始時から適切にボイスチェンジャを使用することができる。
【００１６】
また、ボイスチェンジャの設定がされていない場合でも通話途中で切り替え可能としたため、例えば通話の途中で相手への対処に困るような事態になった場合など、そばにいる第三者と電話を替わったように通話相手に誤解させて迷惑電話を断ることが可能となる。なおこれらの機能は、例えば友人との話し中に単に話し声を変えて楽しむ目的にも使用してもよく、この使用方法によると会話を一層楽しむことができる。
【発明を実施するための最良の形態】
【００１７】
本発明を実施するための最良の実施形態について、図面を参照しながら以下に詳細に説明する。
【実施例１】
【００１８】
図１は本発明にかかる電話機の第１実施例の概略構成を示す図である。この電話機１は例えば携帯電話機であり、ＬＣＤ等の表示部１１と、入力キー等の入力部１２と、電話機１の使用者の音声を取得するマイク１３と、ボイスチェンジャ１４と、制御部１５と、メモリ１６とを少なくとも備えている。制御部１５はプログラムにより動作し、少なくとも通信処理部１７と、着信元判定部１８と、音声切替処理部１９とを備えている。電話機１は図示しないがさらに着信音や通話相手の声を出力するスピーカや、電話帳登録機能その他必要な機能を備えるものとし、また電子メールやウェブ閲覧等を実現するデータ通信処理機能を備えていてもよい。
【００１９】
制御部１５の通信処理手段１７は、着信を検出すると着信信号に含まれる着信元電話番号を抽出し、表示部１１に表示するとともに着信元判定部１８に通知する。着信元判定部１８は通知された着信番号に基づきメモリ１６を参照して当該電話番号がボイスチェンジャを使用する番号か否かを判定し、結果を音声切替部１９に通知する。音声切替部１９はこの通知に基づきボイスチェンジャ回路１４のＯＮ／ＯＦＦを切り替える。また音声切替部１９は、電話機１のユーザが入力部１２を操作することによる指示があった場合にも、ボイスチェンジャのＯＮ／ＯＦＦを切り替える。
【００２０】
ボイスチェンジャ１４は、入力される音声を電気的に変換してその音声の特徴を変える手段であり、例えばＡＤ／ＤＡ変換器と書き込みバッファとを備え、バッファへの書き込み周波数と読み出し周波数を変えることにより入力音声の音程を変えることができる。なおボイスチェンジャ自体は様々な方式で実用化されている公知技術であり、これらのいずれを採用してもよい。例えばボイスチェンジャ１４はハードウェア構成としてもよいし、ソフトウェアで実現して制御部内に組み込むようにしてもよい。また、迷惑電話防止という観点からはユーザの話し声を低い音程に変換するよう設定されていることが好ましいが、入力部１２の操作により低い声を高い音程に変換するよう設定可能であってもよく、また変更後の音程を数段階に設定可能であってもよい。
【００２１】
メモリ１６には、ボイスチェンジャを基本的に使用するか否かのＯＮ／ＯＦＦ情報と、使用する場合に対象となる電話番号の情報が登録される。ユーザが入力部１２で所定の操作を行うと、制御部１５が表示部１１にメニュー画面を表示し、ユーザがボイスチェンジャを使用する着信電話番号を直接入力したり、電話帳のグループや所定のカテゴリから選択できるようにする。このカテゴリとして、「発信元電話番号が電話帳にない場合」や、「発信元電話番号が非通知である場合」、「公衆電話の場合」などが考えられる。これらの設定情報がメモリ１６に登録される。
【００２２】
このように構成された電話機１の着信動作を、図２のフローチャートを用いて説明する。電話機１が着信を受けた場合は通信処理部１７がこれを検出し（ステップＳ１）、着信信号に含まれる発信元電話番号情報を着信元判定部１８に通知する。着信元判定部１８はメモリ１６を参照して、ボイスチェンジャを使用するか否かを判定する（ステップＳ２）。ここで着信元判定部１８はメモリ１６に登録された設定内容に従い、着信番号が予め登録されたボイスチェンジャ使用対象電話番号である場合、電話帳に登録されていない番号である場合、番号非通知の着信である場合などに、ボイスチェンジャを使用すると判定する。
【００２３】
ボイスチェンジャを使用する番号である場合、さらにボイスチェンジャの設定がなされているかの判断を行う（ステップＳ３）。ここでメモリ１６のボイスチェンジャ設定がＯＮとなっている場合、ボイスチェンジャ通話に進む（ステップＳ４）。ここでは制御部１５の音声切替部１９がボイスチェンジャ１４をＯＮ設定とし（ステップＳ６）、このモードでのユーザの話し声はボイスチェンジャにより変換されたうえで通信処理部１７から相手先に送られる。なお、通話の途中でユーザがボイスチェンジャの使用を取りやめたい場合、入力部１２に所定の入力（例えば、ボイスチェンジ切替ボタンの押下など）を行うと、制御部１５の音声切替部１９がボイスチェンジャ１４をＯＦＦに切り替え（ステップＳ５）、以降はボイスチェンジャ１４がＯＦＦ設定となる（ステップＳ１０）。通話が終了するまでこれが継続される（ステップＳ７、ステップＳ１２）。なお、受話スピーカ（図示せず）からは変換後のユーザの声を出力して、ユーザが自分で相手に伝わる変換後の声を確認できるようにすることが望ましい。また、着信時にボイスチェンジャ通話を行う場合は表示部１１にその旨表示することが望ましい。
【００２４】
一方、通信処理部により検出された着信番号がボイスチェンジャ使用対象番号でない場合や（ステップＳ２：Ｎ）、ボイスチェンジャの基本設定がＯＦＦの場合（ステップＳ３：Ｎ）、ボイスチェンジャなし通話に進む（ステップＳ８）。この場合は音声切替部１９がボイスチェンジャ１４をＯＦＦ設定とし（ステップＳ１０）、ユーザの話し声は音程変換されずに相手に送られる。また、ユーザが通話の途中でボイスチェンジャを使用したい場合、入力部１２に所定の入力（例えば、ボイスチェンジ切替ボタンの押下など）を行うと、制御部１５の音声切替部１９がボイスチェンジャ１４をＯＮに切り替え（ステップＳ９）、以降はボイスチェンジャ１４がＯＮ設定となる（ステップＳ６）。通話が終了するまでこれが継続される（ステップＳ１１〜Ｓ１２）。
【００２５】
以上のように、本実施例によれば、着信時に予め設定した着信番号あるいは番号カテゴリに該当するかを判定し、且つボイスチェンジャの設定がなされている場合はボイスチェンジャ通話となり、例えば女性の高い話し声でも低い声に変換して相手に伝えるため、迷惑電話に有効に対処することが可能となる。また、ボイスチェンジャの設定がされていない場合でも通話途中で切り替え可能としたため、例えば通話の途中で相手への対処に困るような事態になった場合など、そばにいる第三者と電話を替わったように通話相手に誤解させることが可能となる。さらにボイスチェンジャ通話中にＯＦＦ設定への切り替えも可能としているため、上記第三者と再び電話を替わったように相手に誤解を与えることができる。またこれらの機能は、例えば友人との話し中に単に話し声を変えて楽しむ目的にも使用してもよい。
【実施例２】
【００２６】
図３は、本発明にかかる電話機の第２実施例の構成を示す図である。図３に示すように、本実施例の電話機２では、受話スピーカ２１がボイスチェンジャ２２に接続されており、設定によって通話相手の声をボイスチェンジャ２２で変換して楽しむことができる。この設定は入力部１２を介してメモリ１６に登録されるものとし、ボイスチェンジャがＯＮ設定である場合、受信される音声信号はボイスチェンジャ２２により変換されたうえで受話スピーカ２１から出力される。その他の機能は図１に示す電話機１と同じであり、重複する説明はここに省略する。
【００２７】
以上、本発明の実施例について説明したが、本発明の技術的範囲は上記実施例に何ら限定されるものではなく、請求項の記載の意図する範囲を超えない限りにおいて、他の様々な変形例として実現することができる。例えば、電話機１は携帯電話機のみならず、一般家庭などに設置される固定電話であってもよい。
【００２８】
本発明によれば、ボイスチェンジャを使用し変換した音声を通話相手におくることにより、ユーザの年齢性別等の情報を隠すことができるという利点がある。また、例えば女性ユーザの声を低い音程に変換して伝えることにより、通話相手に男性であると勘違いさせて勧誘等の迷惑電話を拒絶しやすくなるという利点がある。さらに、着信電話番号あるいはそのカテゴリにより着信時に制御部が自動判定してボイスチェンジャの使用／不使用を切り替えるため、通話開始時から適切にボイスチェンジャを使用することができる。
【産業上の利用可能性】
【００２９】
本発明に係るボイスチェンジャ付電話機およびその制御方法は、着信電話番号によって自動的にボイスチェンジャのＯＮ／ＯＦＦを判定し、迷惑電話などを有効に撃退できるものであり、通信産業または電話産業に利用することができる。
【図面の簡単な説明】
【００３０】
【図１】本発明にかかるボイスチェンジャ付電話機の一実施例の構成を示す図である。
【図２】本発明の電話機の制御方法の一例を説明するフローチャートである。
【図３】本発明にかかる電話機の別の実施例の構成を示す図である。
【符号の説明】
【００３１】
１      電話機
１１    表示部
１２    入力部
１３    マイク
１４    ボイスチェンジャ
１５    制御部
１６    メモリ
１７    通信処理部
１８    着信元判定部
１９    音声切替部
２１    受話スピーカ
【図１】
2006333057.tif 000003
【図２】
2006333057.tif 000004
【図３】
2006333057.tif 000005